(57)【要約】【課題】  トラップ管路の溢流水位での封水深が浅く、待機時に必要な最低封水深（５０ｍｍ以上）に近い便器を使用する場合であっても、使用者が使い勝手面の問題を感じることなく排尿情報を測定するための尿貯留体積を確保しすることである。また、待機時においては溜水面積を大きく確保することにより、便器の汚れ発生を防止することを可能とする。【解決手段】  本発明では、測定開始水位形成手段はトラップ管路でサイホン現象を発生させるサイホン現象発生手段と、サイホン現象の継続時間を制御するサイホン現象継続時間制御手段と、を有することを特徴とすることにより、短時間で前記トラップ管路の溢溜水位以下の測定開始水位を創成することができ、また、サイホン現象を起動する瞬間流量を要した後は給水を必要としないため、本測定準備のために多量の水を必要とせず、水の浪費を防止することを可能とした。【選択図】  図１
2008248557.tif 000002
【特許請求の範囲】
【請求項１】
被験者の排泄物を受けるボールと、
前記ボールと下水配管とを接続するとともに、前記下水配配管との連通を水封する溜水を形成するトラップ管路と、
前記溜水を排出することによって前記溜水のボール側の溜水水位であるボール部溜水の水位を、前記トラップ管路の溢流水位よりも低い所定水位である測定開始水位まで低下させる測定開始水位形成手段と、
前記ボールに対して所定の水を供給する給水手段と、
前記ボール部溜水の水位を測定する溜水水位測定手段と、
前記溜水水位測定手段によって測定される被験者の排泄物による水位変化から排泄量を求める排尿情報算出手段と
を有する排尿情報測定便器において、
前記測定開始水位形成手段は前記トラップ管路でサイホン現象を発生させるサイホン現象発生手段と、
前記サイホン現象の継続時間を制御するサイホン現象継続時間制御手段と、
所定の水位を創成する水位成形制御手段と、
を有することを特徴とする排尿情報測定便器。
【請求項２】
前記サイホン現象継続時間制御手段は、前記トラップ部内の圧力を監視するトラップ管路内圧力監視手段を備え、トラップ管路内の圧力が所定値となったときに前記空気供給手段による空気の注入を行なう
ことを特徴とする請求項１記載の排尿情報測定便器。
【請求項３】
前記トラップ管路へ空気を供給する空気供給手段を有し、前記サイホン現象継続時間制御手段は前記空気供給手段を制御することによってサイホン現象の継続時間を制御することを特徴とする請求項１および２に記載の排尿情報測定便器。
【請求項４】
前記空気供給手段は、前記トラップを大気開放するものである
ことを特徴とする請求項３記載の排尿情報測定便器。
【請求項５】
前記空気供給手段は、前記トラップの流出口径を変更（拡大）するものである
ことを特徴とする請求項３記載の排尿情報測定便器。
【請求項６】
前記空気供給手段は前記トラップ管路へ空気を圧送する空気圧送手段を有する
ことを特徴とする請求項３記載の排尿情報測定便器。
【請求項７】
前記空気供給手段が空気を供給する位置は、前記トラップ管路、溜水排出のためのゼット流供給孔のいずれか１つ以上である
ことを特徴とする請求項３記載の排尿情報測定便器。
【発明の詳細な説明】
【技術分野】
【０００１】
本発明は、トラップ管路を有する便器において、前記トラップ管路の溢流水位以下の水位を短時間で創成することに係り、
特に封水深が小さい便器であっても排尿情報を測定するための尿貯留体積を確保し、かつ、その水位を創成するための時間に関して、使用者が使い勝手の低下を感じさせないことに好適な排尿情報測定便器の測定準備動作に関する発明である。 
【背景技術】
【０００２】
従来の排尿情報測定便器では、排尿情報を測定するための尿貯留体積を確保するために、トラップ管路の溢流水位にある溜水の一部を下水配管に対して排出した後の所定の水位を測定を開始する測定開始水位としている（例えば、特許文献１参照。）。 
このような場合、溜水水位が所定の水位まで下がるために時間を要することから、排泄したいと感じてトイレに来た使用者に排泄を待たせることになり、使用者は使い勝手が悪いと感じることがあった。
【０００３】
また、便器洗浄動作毎に溜水水位を前記測定開始水位にして使用待機しているものもある（例えば、特許文献２参照。）。
【０００４】
一方、使用待機時においては、下水配管内で発生する圧力変動で溜水の封水切れが発生しないよう、建築基準法施工令は封水深を５０ｍｍ以上とすることを求めているため、排尿情報測定便器においても使用待機時の封水深は５０ｍｍ以下にすることができない。ここで、最大尿量測定範囲は、前記トラップ管路の溢流水位以下の測定開始水位位置から、前記トラップ管路の溢流水位までの水位差に相当する溜水量差ということになる。従って、測定開始水位にして使用待機する場合は、最大尿量測定範囲に限界があり、排尿情報を測定するための十分な尿貯留体積確保が難しくなるという問題があった。
【特許文献１】特開平１０−０８２７８３号公報
【特許文献２】特開２００６−２５７８７０号公報
【発明の開示】
【発明が解決しようとする課題】
【０００５】
本発明は、上記問題を解決するためになされたもので、本発明の課題は、トラップ管路の溢流水位での封水深が浅く、建築基準法施工令で定められた待機時に必要な最低封水深（５０ｍｍ以上）に近い便器を使用する場合であっても、使用者が使い勝手面の問題を感じることなく排尿情報を測定するための尿貯留体積を確保し、準備のためにの水の浪費を防止することである。また、待機時においては溜水面積を大きく確保することにより、便器の汚れ発生を防止するものである。
【課題を解決するための手段】
【０００６】
上記目的を達成するために請求項１記載の発明によれば、被験者の排泄物を受けるボールと、前記ボールと下水管とを接続するとともに、前記下水配管との連通を水封する溜水を形成するトラップ管路と、前記溜水を排出することによって前記溜水のボール側の溜水水位であるボール部溜水の水位を、前記トラップ管路の溢流水位よりも低い所定の水位まで低下させる測定開始水位形成手段と、前記ボール部溜水の水位を測定する溜水水位測定手段と、前記ボールに対して所定の水を共給する給水手段と、前記溜水水位測定手段によって測定される被験者の排泄物による水位変化から排泄量を求める排尿情報算出手段とを有する排尿情報測定便器において、
前記測定開始水位形成手段は前記トラップ管路でサイホン現象を発生させるサイホン現象発生手段と、前記サイホン現象の継続時間を制御するサイホン現象継続時間制御手段し、所定の水位を創成する水位成形制御手段と、を有することにより、
短時間で前記トラップ管路の溢溜水位以下の測定開始水位を創成することができ、また、サイホン現象を起動する瞬間流量を要した後は給水を必要としないため、本測定準備のために多量の水を必要とせず、水の浪費を防止することを可能とした。
【０００７】
また、請求項２記載の発明のよれば、前記サイホン現象継続時間制御手段は、前記トラップ部内の圧力を監視するトラップ管路内圧力監視手段を備え、トラップ管路内の圧力が所定値となったときに前記空気供給手段による空気の注入を行なうことを特徴とすることにより、
下水配管内で圧力変動があったときでも所定の測定開始水位を創成でき、合わせて測定開始水位創成のためのサイホン現象中断タイミングを細かく制御することが可能である。
【０００８】
また、請求項３記載の発明のよれば、前記トラップ管路へ空気を供給する空気供給手段を有し、前記サイホン現象継続時間制御手段は前記空気供給手段を制御することによってサイホン現象の継続時間を制御することを特徴とすることにより、
物理現象であるサイホン現象の中断を原理的に実現することができることにより、測定開始水位位置再現性を高めることが可能である。
【０００９】
また、請求項４記載の発明のよれば、前記空気供給手段は、前記トラップを大気開放するものであることを特徴とする
単純、かつ、簡便な構成で前記測定開始水位の創成を実現することが可能である。
【００１０】
また、請求項５記載の発明のよれば、前記空気供給手段は、前記トラップの流出口径を変更（拡大）するものであることを特徴とすることにより、
単純、かつ、簡便な構成で前記測定開始水位の創成を実現することが可能である。
【００１１】
また、請求項６記載の発明のよれば、前記空気供給手段は前記トラップ管路へ空気を圧送する空気圧送手段を有することを特徴とすることにより、
大量の空気混入が実現できるため、短時間でサイホン現象を中断することができ、測定開始水位実現に要する時間の短縮が可能である。
【００１２】
また、請求項７記載の発明のよれば、前記空気供給手段が空気を供給する位置は、前記トラップ管路、溜水排出のためのゼット流供給孔のいずれか１つ以上であることを特徴とすることにより、
サイホンブレーカー効率を向上させ、前記測定開始水位の位置再現性を高めることが可能である。
【発明の効果】
【００１３】
本発明によれば、溜水の水位を短時間で所定の水位に設定することで、便器の封水深条件に左右されず排尿情報を測定するための尿貯留体積を確保でき、溜水面積が広いことから汚れも発生しにくい排尿情報測定便器を実現できるという効果がある。
【発明を実施するための最良の形態】
【００１４】
図１は本発明を実施した第１の実施例における排尿情報測定装置全体を示す斜視図である。図１を使用して、本実施例における排尿情報測定装置の全体構成について以下に述べる。
【００１５】
本実施例における排尿情報測定装置１は、便器洗浄機能などの通常の便器機能を備えた洋風大便器４と、洋風大便器４に一体的に組み込まれた衛生洗浄装置７と、洋風大便器４の背後に設置されたキャビネット１８と、被験者がそれらの各種の動作を指示する操作を行なったり、得られた測定結果等を表示するために壁に設けられた操作・表示部７０とで構成されている。
【００１６】
洋風大便器４のボール上部には樹脂製の便座１７１が回動自在に取り付けられている。本実施例では一般的に採用される便ふたを省略した事例を示している。医療機関や高齢者施設等で使用される場合、便ふたを回動させるために実施する動作が、身体に疾病を抱えている患者にとっては負担になるということに配慮したものであり、反対に患者の上半身を支えることを配慮した背もたれ１７２をキャビネット１８に設置している。
【００１７】
キャビネット１８の内部には、被験者が洋風大便器４に排泄する尿の量である尿量や単位時間当たりの排泄速度である尿流率等の尿量情報の測定を行うために溜水の水位変化を計測する機構部等を備えた尿量計測部５０と、尿量計測部５０の動作制御や情報処理等を行う尿量計測制御部６０と、が収納されている。その他、必要に応じて尿中の特定成分濃度等を計測する尿成分測定部などを、キャビネット１８の内部に収納しても良い。収納するものの占有体積により、キャビネット１８の大きさ・形状は変更が可能である。
【００１８】
操作・表示部７０は、排尿情報測定用のリモコン７２と、衛生洗浄装置操作用のリモコン７１とを備え、排尿情報測定結果等を出力するプリンター７３はキャビネット１８の上方に配置している。被験者の操作性・視認性を配慮した時に、操作・表示部７０と排尿情報測定用のリモコン７２は壁に取り付けることが推奨されるが、操作の動線を配慮し、プリンター７３も壁取り付けとすることも可能である。
【００１９】
リモコン７２は被験者がトレイに入室し、排尿情報を測定する時に操作するもので、測定開始を指示する測定開始スイッチと、排尿が終了したことを指示する排尿終了スイッチとが設置されている。さらに、リモコン７２には被験者の測定履歴などの個人情報を取得するために必要な個人別スイッチやＩＤカードの読み込み手段等の個人認証手段、及び、電子データの入出力装置等が設けられている。
【００２０】
測定結果はプリンター７３を使用して被験者に開示されるようになっているが、リモコン７２の表示部で被験者に開示しても良い。さらにまた、本排尿情報測定装置を医療機関に設置した場合は、複数の被験者データを看護師がリモコン７２を操作して、プリンター７３から取り出すことも考えられる。
【００２１】
施工時やメンテナンス実施時の操作は、リモコン７１またはリモコン７２のスイッチに所定手順の操作を実施することで切替設定されるようになっている。切替方法としては、所定のスイッチを長時間押したりするものであり、施工時やメンテナンス実施時のみに実施される行為としては、溜水水位と溜水量の検量関係を記憶させたり、導圧配管に水を充填させるような行為である。
【００２２】
便器内の溜水は、排水ソケット１５を介して下水排水口１６に排出される。下水排水口１６は建物の建築作業によって構成されるものであるが、その位置精度は一般的に考えられる機械工作品よりも大きな公差が必要である。便器部３を構成する便器４は下水排水口１６と一体になるため、その設置位置は下水排水口１６の設置位置ばらつきによって変化することになる。一方、キャビネット１８は、前面の前板１８１と、左右に設けられた側板１８２と、天井部を覆う甲板１８３で構成されることになるが、前板１８１は便器部３の外郭を覆うことになるため、便器部３との相対位置が決められている。従って、便器位置がずれるということは、その位置に合わせて前板１８１の位置もずれることになり、本排尿情報測定装置の背部のトイレ室の壁と前板１８１との距離も変化することになる。この前板１８１と側板１８２と甲板１８３とが一体となった従来のキャビネット形式ではこれらの構成部材はこの便器位置のズレを吸収できる最大奥行き寸法のものを用意して、施行現場の状況に合わせて切断等の加工を行って奥行き寸法を調節していた。
【００２３】
本実施例では、特に全長が長く加工の難しい側板１８２の加工を省略する方法を示している。先ず、前板１８１の形状を便器部３の外郭形状と一体化した形状に固定寸法化する。前板１８１は図示しないフレームと一体になっており、側板１８２と甲板１８３はフレームに取り付ける構成としている。側板１８２の奥行き方向寸法は、便器４に発生する前後方向の位置ズレに対して、その前方公差上限位置でも前板１８１が側板１８２の前方端よりはみ出さない寸法で形成されている。従って、側板１８２に対して、便器部３と前板１８１が前後方向にずれるだけである。
【００２４】
側板１８２の前方端部（木口）には、Ｒ形状を有する軟質部材が設けられており、被験者の腕や肘が前方端部（木口）にあたってもけがをしないように配慮されている。医療機関で使用することを想定した場合、視覚に疾病を持っていたり、高齢になって視力の低下した被験者も想定される。そのような被験者の使用を想定した場合は、側板１８２の前方端部（木口）と面材を別の色、つまりコントラストのある黒と白を採用すると、便器４の位置を明確に判別することができるという利点も持っている。
【００２５】
図２は本発明を適用した排尿情報測定装置１の実施例の構成を示すブロック図である。
なお、ここで各構成要素を繋いでいる実線は水管路を示し、破線は水以外の情報等の接続経路を示す。
【００２６】
排尿情報測定装置１は大きくは便器部３と、排尿情報測定部５と、操作・表示部７０と、に分かれている。便器部３と排尿情報測定部５とが分けられて構成されているのは、両者の製造拠点が異なることと、施工業者が異なることに配慮されている。即ち、複数の製造拠点で夫々梱包されて輸送されてきた両者は施行現場において、一般的には、給排水を担当する設備業者が便器部３の設置及び上下水道との接続を行ない、医療機器の施工工事を担当する業者が排尿情報測定部５を設置して便器部３と排尿情報測定部５とを結ぶ給排水配管と信号経路の接続を行なって排尿情報測定装置１を完成させた後に、排尿情報測定装置１のシステムとしての動作確認を実施することができるようにしている。そのために、この便器部３の動作と排尿情報測定部５の動作との連携を図る連係動作制御手段８０が、この両者にまたがって設けられている。
【００２７】
便器部３は、排泄物を受けてこれを下水配管に搬送する通常の便器としての機能を備えた洋風大便器４と、洋風大便器４に一体的に組み込まれ用便後の使用者の局部を洗浄するための衛生洗浄手段７ａを備えた衛生洗浄装置７と、洋風大便器４と衛生洗浄装置７の動作を制御する便器制御部４０とで構成されている。
【００２８】
洋風大便器４は、被験者が排泄を行うボール２０と、下水配管との連通を水封する溜水２３をボール２０に貯留するためにボール２０に連接されたトラップ１４と、ボール２０への給水を行う便器給水手段３０とを備え、トラップ１４は排水ソケット１５を介してトイレ室内に設けられた下水配管に連通する下水配管口１６に接続されている。
【００２９】
ボール２０の内面には、リム吐水口２１が上縁部に、ゼット吐水口２２が下部に、夫々設けられており、いづれも便器給水手段３０によって供給される水をボール２０内に吐出させる開口部となっている。
【００３０】
便器給水手段３０は、リム吐水口２１と、ゼット吐水口２２とへそれぞれ水を供給するリム給水手段３１とゼット給水手段３２と、を備えている。
【００３１】
ゼット給水手段３２は、分岐金具１３１からの給水を貯留する給水貯留手段３２ａと、給水貯留手段３２ａに貯留された貯留水をボール２０に送る貯留水搬送手段３２ｂと、を備えている。
【００３２】
外部の給水源から排尿情報測定装置１への給水は、装置給水手段１２を経て、分岐金具１３１によってさらに、衛生洗浄手段７ａと、洋風大便器４のボール２０に給水するリム給水手段３１と、ゼット給水手段３２と、に分岐された給水路で供給される。
【００３３】
前述のゼット給水で発生するサイホン現象によって、ボール２０内の溜水２３は、トラップ１４と排水ソケット１５を介して下水配管に排出される。ボール２０とトラップ１４には、溜水２３の排出状態を制御するサイホン現象継続時間制御手段１４１が接続されている。
【００３４】
便器制御部４０には、衛生洗浄手段７ａと便器給水手段３０の給水動作とを制御する給水制御手段４１と、排尿情報測定装置１全体の連携動作を制御するために設けられた後述する連係動作制御手段８０を構成する状態表示手段８２ａ及び状態受信手段８２ｂと、が設けられている。
【００３５】
また、排尿情報測定部５は、尿量測定部６で構成されており、尿量測定部６はさらに、溜水２３の水位変化を計測するために必要な機構を備えた尿量計測部５０と、尿量計測部５０の動作の制御や得られた計測情報を加工し尿量等の測定情報の算出等を行なう尿量計測制御部６０と、を備えている。
【００３６】
尿量計測部５０には、被験者の排泄による排尿量等を測定するために溜水２３の水位変化を計測する溜水水位計測手段５１と、下水配管内の圧力変動によって溜水２３の水位が受ける影響量を計測する下水圧変動量計測手段５２と、ボール２０内の溜水２３の水位と水量との関係（以下、この関係を「検量関係」と呼ぶ）を計測する検量関係計測手段５３と、尿量計測部５０と下水配管との連絡管路を水封することによって空気の流通を遮断するための配管縁切り手段５５と、が設けられている。
【００３７】
溜水水位計測手段５１は、後述する計測管路５７で溜水２３と接続されており、この管路を介して両者は連通している。なお、計測管路５７には溜水水位計測手段５１の破損防止等のために不要時に管路の閉止を行なう計測管路開閉手段５７ａが設けられている。
【００３８】
また、下水圧変動量計測手段５２も、排水ソケット１５の内部と連通する後述する下水配管連絡管路５２２で下水配管に接続されているが、こちらは空気の流通を遮断して下水配管からの汚臭逆流を防止する配管縁切り手段５５を介して接続されている。
【００３９】
なお、本実施例では、溜水水位計測手段５１には、溜水２３の水位をその時に生じる水柱の圧力である水頭圧として計測する水頭圧計測手段５１ａと、実際の溜水２３の水位測定に際して、予め基準となる水頭圧を創成して水頭圧計測手段５１ａの出力を校正する計測出力校正手段５１ｂも合わせて内蔵されている。なお、この計測出力校正手段５１ｂは溜水２３の波立ちが溜水水位計測手段５１の水位計測に与える影響を取り除く除振手段としても機能させている。
【００４０】
また、尿量計測制御部６０には、溜水水位計測手段５１によって計測される水位情報に基づいて被験者が溜水２３に排泄した尿等の排泄物の量や排尿速度などの尿量情報を求める尿量情報算出手段６１と、検量関係計測手段５３が行なう検量関係等の計測に必要な情報や計測結果等の測定情報を記憶する測定情報記憶手段６２と、前述した便器給水手段３０を給水制御手段４１を介して制御することによって溜水２３の水位を測定開始水位に形成する測定開始水位形成制御手段６３と、が設けられている。さらに、排尿情報測定装置１の各機能の連係動作を制御する後述の連係動作制御手段８０を構成している状態表示手段８３ａと状態受信手段８３ｂと、が設けられている。
【００４１】
尿量情報算出手段６１には、溜水水位計測手段５１によって計測される溜水２３の水位から、検量関係記憶手段６２１に記憶されている水位と水量との検量関係を利用して溜水２３の水量を演算によって求める溜水量算出手段６１ａと、下水圧変動量計測手段５２の計測結果を用いて溜水水位計測手段５１が計測した水位計測値を溜水水位測定開始時の下水圧の状態での値に修正する下水圧変動補正手段６１ｂと、が備えられている。
【００４２】
尿量情報算出手段６１は以上述べた構成で、溜水水位計測手段５１が計測する溜水水位値を下水圧変動補正手段６１ｂによって修正した補正後の溜水水位値に基づいて、溜水量算出手段６１ａがその時の溜水量を算出することによって、排尿量他の尿量情報を求めている。
【００４３】
本実施例の排尿情報測定装置１は前述したように、便器部３と排尿情報測定部５とを夫々独立した構成とするために、動作指示を行なう操作部も夫々別体の操作部としてリモコン７１とリモコン７２とを設ける構成とし、これらのリモコンはお互いの操作情報をやり取りしない独立のリモコンとしている。そして他方では、通常の便器のボール２０を排尿情報測定時の排尿収集容器としても利用しているが、これらの装置の各動作間には、例えば通常の便器としての便器洗浄動作と尿量測定動作との間のように、一方の動作によって他方の動作が影響を受けて測定誤差を生じたり、器具が破損したりするものもある。従って、使用者によって行なわれる任意のリモコン操作による動作指示に対して、便器部３と排尿情報測定部５との間で、その時の動作状況に応じて各々をどのように動作させるかを規定する連係動作制御を行なう手段が必要であり、そのために本実施例でも、前述したように連係動作制御手段８０を設けている。なお、この連係動作制御を行うためには具体的な制御回路が必要となるが、この中継基板８１を介して排尿情報測定部５と便器部３とを接続した構成としている。
【００４４】
なお、この中継基板８１のように両者の制御回路基板とは別に回路基板を設ける代わりに、連係動作制御の対象となる便器部３の制御手段である便器制御部４０、あるいは同じく対象となる排尿情報測定部５の制御手段である計測制御部４０の、いずれかの制御回路基板にこの制御回路を一体的に組み込むことも、あるいは、さらに別な実施形態として、これら複数の制御回路を一つの回路基板として構成することも可能である。
【００４５】
本実施例での連係動作制御手段８０は、便器部３と排尿情報測定部５との間に制御回路基板としてを設けられた中継基板８１と、尿量計測制御部６０に設けられた状態表示手段８３ａと状態受信手段８３ｂ、便器制御部４０に設けられた状態表示手段８２ａと状態受信手段８２ｂと、を備えている。以下にその制御動作について説明する。
【００４６】
状態表示手段８２ａ・８３ａは、夫々便器部３または排尿情報測定部５の動作情報を中継基板８１に送信する。中継基板８１は送られてきた便器部３または排尿情報測定部５の動作情報を基にして、その時点の動作状態に応じて予め定められた連係動作情報を生成して記憶する。即ち、中継基板８１が常時、両者の動作状態を集約して記憶する構成としている。
【００４７】
そして、尿量計測制御部６０または便器制御部４０は夫々の動作を開始するに際しては、夫々に設けられている状態受信手段８２ｂ・８３ｂによって中継基板８１によって生成され記憶された前記の連係動作情報を参照し、便器部３または尿量測定部６の動作を夫々予め定められた通りに制御する。前記の連係動作情報は、排尿情報測定装置１全体として干渉動作が予見される時には干渉防止動作に切替を行ったり、駆動信号を遅滞させて伝送する等の整合・調整を行なうことで相互の干渉動作が生じないように予め定められている。
【００４８】
図３は図２で示した排尿情報測定部５のリモコン７２の１例を示した平面図である。
ＩＤ操作部７２１は複数個の押し下げ方式スイッチであり、被験者自身の氏名が記載されたスイッチを１回押し下げることで個人認証を行ったり、部屋番号と部屋内背番号を示す２回のスイッチ押し下げで個人認証を行うよう切替できるようになっている。スイッチに氏名が記載されているものは単純で被験者も理解しやすいが、プライバシー保護の面では難がある。部屋番号と部屋内背番号を示す２回のスイッチ押し下げ方式はプライバシー保護を配慮したものであるが、スイッチ押し下げ後に蛍光表示管や液晶による表示部７２２に予め設定されて記憶された氏名情報を表示することで、被験者の確認を促すよう配慮されている。スピーカー７２３はそれらの操作ガイド情報を音声合成で開示することにより、被験者が視覚障害者や高齢者であっても操作ミスを生じにくいよう配慮されている。スイッチ７２４は測定終了を入力するものであり、生体情報を測定するための排泄が終了した時に押し下げるようになっている。スイッチ７２６は取消スイッチであり、測定を中止するときや、操作をやり直す時に操作される。なお調節部７２６には、装置の設定を変更するためのスイッチ群が配されている。
【００４９】
図４は排尿情報測定装置１を医療機関でシステム的に使用する測定情報管理システムに関する構成の第一の実施例を示す模式図である。この第一の実施例の構成は、比較的小規模の医療機関を想定したものである。例えば、男子トイレと女子トイレに設置された排尿情報測定装置１の情報を、ＳＤメモリーカードのような半導体記憶装置を利用して電子情報として収集し、その電子情報を診察室やナースステーションに医療管理者が持ち帰り、パーソナルコンピューターを使用して必要なデータを収集したり、様々な加工を行うシステムである。データを取り込むだけでなく、図３で示した患者の氏名情報などを入力して排尿情報測定装置１に転送することもできるようになっている。本構成は医療管理者が電子情報の通信媒体になっていることを示すものである。
【００５０】
図５は排尿情報測定装置１を医療機関でシステム的に使用する測定情報管理システムに関する構成の第二の実施例を示す模式図である。この第二の実施例の構成は、大規模な医療機関で複数の生体情報測定装置１が稼動している状態を想定したものである。排尿情報測定装置１の情報は、医療機関に設けられた院内ＬＡＮを利用して電子情報として、その電子情報を診察室やナースステーションに駐在する医療管理者がパーソナルコンピューターを使用して必要なデータを収集したり、様々な加工を行うシステムである。データを取り込むだけでなく、図３で示した患者の氏名情報などを入力すると、排尿情報測定装置１に転送できるようになっている。医療機関全体のデータを管理している電子カルテシステムが患者情報を管理し、医療管理者の入力作業を省力化するシステムであっても良い。
【００５１】
医療機関全体に配置された生体情報測定装置のアドレスを、院内ＬＡＮに接続されたものとして特定する必要がある。施工作業時には使用する必要のないＩＤ操作部７２１を利用してユニークな設置場所情報を施工者が入力しておけば、その情報をキーとして複数の生体情報測定装置の中から所定のものを検索し、各医療関係者が自分自身で管理すべき排尿情報測定装置１を特定し、院内ＬＡＮから所定の情報を読み出せるようにＩＰアドレスを設定するような作業も容易である。表示部７２２で確認しながら、調節部７２６のスイッチを使用して所定の数字やアルファベットを選択するような方法で、前記したユニークな設置場所情報を入力しても良い。
【００５２】
以下、本発明の要旨であるサイホン現象の制御について説明する。
図６は、ゼット給水手段３２でゼット吐水を行ったときの下水圧変動量測定手段５２で測定された下水圧の経時変動グラフである。高給水圧時と低給水圧時の圧力変動状況を比較している。ゼット吐水タイミングにおいて、トラップ１４に給水が開始され、その給水が下水配管に向けて押し込まれるため、先ず下水圧変動量測定手段５２で測定される下水圧変動は正側に振れる。次いでトラップ１４が満水になり、サイホン現象が誘引されると、ボール２０内の溜水２３は急速に下水配管に向けた流出を開始し、下水圧変動は負側に振れる。溜水２３が全て排出されると空気が吸引されてサイホンが停止する。水の流れが無くなっていくため、下水圧変動は初期状態に戻っていく。
【００５３】
給水圧が低い場合、トラップ１４が満水になるまでの時間は長いが、一端トラップ１４が満水になってサイホンが発生した後の挙動は、高給水圧時と低給水圧時で大差はない。このようにゼット給水手段３２に供給される水の給水圧によってサイホン現象の発生タイミングがずれるため、後述の事例で説明するサイホン現象継続時間を中断するタイミングは、この発生状態の変動を考慮して決定しなければならない。
即ち、実際のサイホン現象進行状態を示す下水圧変動量測定手段５２で測定される下水圧変動を直接モニターしながらサイホン現象継続時間を中断するタイミングを定めるか、あるいは給水圧を測定して下水圧変動状態を推定してサイホン現象継続時間を中断するタイミングを定めるかのどちらかを実施する必要がある。
【００５４】
図７は、ゼット吐水経過時間と溜水量変化との関係をそのバラツキも含めて示すグラフである。溜水２３はゼット吐水によって発生したサイホン現象によって、満水状態から空状態に変位するが、この図が示すように、ゼット吐水時間が短い場合の溜水量減少量は小さく、ゼット吐水時間が長い場合はサイホン現象が安定して誘引され、溜水量は空状態になるまで減少する。さらに、サイホンの挙動状態にはこの図の破線で示されたように、ゼット吐水圧等のバラツキに起因するバラツキがある。従って、ゼット吐水経過時間がＡ（ｓｅｃ）のようにサイホン現象の発生初期の場合は、溜水量の減少率は小さいため、ゼット吐水バラツキを考慮した溜水量のバラツキ変動幅はそれ程大きなものにはならない。対してゼット吐水経過時間がＢ（ｓｅｃ）であった場合、溜水量の減少率は大きいため、ボール内に残る溜水量のバラツキ幅も大きくなる。
【００５５】
従って、測定開始水位形成制御時の目標値となる溜水量の減少量が小さい場合はゼット吐水時間の制御で精度良く測定開始水位を創成できるが、溜水量の減少量が大きい場合はゼット吐水時間の制御だけで測定開始水位を創成しようとすると、除去された後のボール内の溜水量のバラツキが大きくなる。その結果、このバラツキによって確実に保障できる測定範囲が狭くなる。本課題を解決するために、図８以降の実施例でサイホン現象を制御する方法を示す。
【００５６】
図８は図２で示した本発明の第一の実施例であり、排尿情報測定装置１の便器部３と排尿情報測定部５の水管路関係の具体的な構成を示したものである。ただし、衛生洗浄装置７の詳細は省略している。
大便器４は排水ソケット１５を介して下水配管口１６に接続されている。トラップ１４によって形成される溜水２３には、下水配管との連通を遮断する封水の役割を持たせることで、下水配管内で発生した臭気や衛生害虫がトイレ内に侵入しないよう衛生面に配慮されている。
【００５７】
尿量計測部５０には、尿量計測部５０を洗浄する清浄な水を供給するため分岐金具１３２を介して給水貯留タンク３２２に連通する尿量計測部給水管路５８１と、溜水２３の水位を計測するためにボール２０の略底部の内面に設けられた水位計測口から溜水水位計測手段５０に連通する計測管路５７と、下水配管と連通する下水配管連絡管路５２２と、が接続されている。そして、この尿量計測部給水管路５８１，計測管路５７，下水配管連絡管路５２２，には管路の離接をワンタッチで簡単に行なえるワンタッチ接続金具５４３，５４４，５４５が夫々設けられており、さらには、計測管路５７のワンタッチ接続金具５４４と大便器４との間及び測定部給水管路５８１のワンタッチ接続金具５４３と給水貯留タンク３２２との間には、夫々の管路を閉止するの止水栓５４１と止水栓５４２とが設けられている。従って、止水栓５４１と止水栓５４２とを閉めてワンタッチ接続金具５４３，５４４，５４５を外せば尿量計測部５０は排尿情報測定装置１から取り外すことが可能な構成となっている。
【００５８】
尿量計測部５０には、測定管路５７に接続された測定管５１１と、溜水２３の水位を圧力として計測する水頭圧計測圧力センサ５１２と、が溜水水位計測手段５０として配設されている。
【００５９】
水位測定管５１１は、溜水２３を含めてＵ字管管路系を形成するために大気に開放された大気開放端５１４と、トラップタンク５５１の中に延出され縁切りのための封水中に水没する水封端５１５と、を有している。そして、圧力センサ５１２は、溜水２３の水位をこのＵ字管管路系の水頭圧として計測するために水位測定管５１１に設けられた構成となっている。
【００６０】
また、水頭圧計測圧力センサ５１２は、設置された環境の温度変化やセンサ自身の経時変化によって出力が変化するため、本実施例では圧力センサ５１２の出力を校正するための計測出力校正手段５１ｂをも備えている。即ち、測定管路５７の開閉弁５７１を閉めた状態で、給水貯留タンク３２２に貯留された水を、分岐金具１３２、止水栓５４２、開閉弁５８２、開閉弁５１３を経て測定管５１１に導き、かつ、水封端５１５からトラップタンク５５１の中に溢れさせることで水位測定管５１１の中に一定高さの水柱を作り出す構成となっている。そして、その一定高さの水柱の時の水頭圧計測圧力センサ５１２の出力を計測することで、水頭圧計測圧力センサ５１２の出力と水位との関係を大気圧を基準とした水位に対応付ける出力校正を行なう。なお、トラップタンク５５１は、この出力校正時の測定管５１１からのオーバーフロー水を下水配管に排出させるために、内部に封水を形成する位置から延出した下水配管連絡管路５２２で排水ソケット１５に接続されて、下水配管との接続管路を水封して縁切りを行なう縁切り手段として機能している。
【００６１】
また本実施例の排尿情報測定装置１は、溜水２３の水位と溜水量との関係を求める前述した検量関係計測手段５３を備えて、大便器４が物理的寸法のバラツキが比較的大きい陶器製であっても、個々の大便器４に固有の検量関係を設置現場で計測して求めることも可能な構成としている。
【００６２】
即ち、検量ポンプ５３１は任意の量を吸引できる定量吸引タイプのポンプが使用され、この検量ポンプ５３１で溜水２３を吸引し、測定管路５７、止水栓５４１、開閉弁５７１、開閉弁５３２、検量ポンプ５３１、トラップタンク５５１、下水配管連絡管路５２２を経て、下水配管に向けて排出できる構成になっている。そして、据付現場において溜水２３の水位を測定範囲の最高水位以上の水位にして開閉弁５１３及び開閉弁５８２を閉止した状態から、検量ポンプ５３１で所定量分ずつ溜水２３をボール２０から吸引して排出し、吸引の都度の溜水水位によって発生する水頭圧を水頭圧計測センサ５１１で測定することにより水位を計測することによって、溜水水位と溜水量の検量関係が取得されるようになっている。
【００６３】
本発明における下水圧変動量計測手段５２としての下水圧計測センサ５２１はトラップタンク５５１に取り付けられ、トラップタンク５５１とソケット１５とを連通する下水配管連絡管路５２２を介して下水配管内で発生している圧力変動状態を、圧力値として計測している。水圧変動補正手段６１ｂによって、この下水圧影響量測定手段５２による計測値に基づいて下水圧変動が溜水水位に与える影響量が算出され、溜水水位計測手段５１が計測する水位計測値は常に下水圧変動が無い状態の値に換算される補正処理が行われるようになっている。
【００６４】
上水道などの外部給水源からの給水は、装置給水手段１２を構成する止水栓１２１、定流量弁１２２、開閉弁１２３を経て、給水管路分岐手段である分岐金具１３１でリム吐水口２１に向けたリム給水管路３１１と、ゼット吐水口２２に向けたゼット給水管路３２１に分岐されて供給されている。リム給水管路３１１にはリム給水手段３１として、開閉弁３１２、バキュームブレーカー３１３、フラッパー弁３１４、が下流側に向けてこの順に設けられている。バキュームブレーカー３１３とフラッパー弁３１４とは夫々、管路内の残水抜き作用と外部給水源に向けた逆流防止作用とを担っている。
【００６５】
ゼット給水管路３２１には、分岐金具１３１から分岐した最上流に、エアギャップを経て給水を一定量貯留する給水貯留手段３２ａとしての給水貯留タンク３２２が設けられ、さらに下流側に向けて順に分岐金具１３２、フラップ弁３２３、給水ポンプ３２４が配設されて、いづれもゼット給水手段３１を構成している。なお、給水貯留タンク３２１には定量貯水を制御するフロートスイッチ等が設けられているが、本図では省略されている。そして、給水貯留タンク３２１に溜められた水は、貯留水搬送手段３２ａとしての給水ポンプ３２４によって、ボール２０内の下部のトラップ１４に向けて開口したゼット吐水口２２に供給されている。また、本実施例では本発明によるサイホン現象継続時間制御手段１４１として、一端が外気に開口し、途中に開閉弁６０１が設けられた吸気管６０６の他端がトラップ１４の頂点付近に接続されている。
【００６６】
給水搬送手段として本実施例で用いられている給水ポンプ３２４は、便器洗浄動作時等にサイホン現象によってボール２０内の溜水２３を下水配管へ排出する場合には、単位時間当たりに、トラップ１４から流出する量より多くの水をゼット吐水口２２から供給することによってトラップ１４を満水状態とすることが可能な程度に大きな給水率で給水出来る能力を有している。
【００６７】
本実施例の排尿情報測定装置１では通常の便器として便器洗浄動作を実施する場合は、この給水ポンプ３２４によるゼット吐水によって誘引したサイホン現象によって溜水２３を全て排出した後、リム給水手段３１によるリム吐水によってトラップ１４の溢溜水位まで溜水を補給する。
【００６８】
以下、サイホン現象継続時間制御手段１４１の動作について説明する。
本実施例では後述の測定開始水位を創成する測定開始水位形成動作時には、まず、給水ポンプ３２４を大きな給水率で作動させて給水した水をゼット吐水口２２から吐出させることによってトラップ１４の中を満水水位にしてサイホン現象を誘発させ、溜水２３を下水配管に向けて排出する溜水排出動作を行う。次に、この誘発させたサイホン現象による溜水２３の排出動作をサイホン現象継続時間制御手段１４１を駆動させてサイホン現象継続を途中で中断させることによって所定の溜水量をボール内に残して測定開始水位を創成するようになっている。サイホン現象継続時間制御手段１４１の動作制御は、前述の測定開始水位形成制御手段６３が行なっている。
【００６９】
サイホン現象が発生すると、溜水２３はボール２０内の溜水面に働く大気圧によって下水配管に向けて排出されることになるが、流出途上でトラップ１４の管路をサイホン現象継続時間制御手段１４１を構成する開閉弁６０１によって大気開口した場合、トラップ内は負圧であるため外気を吸引し、その結果、水の流れの中に気泡が入ってサイホン現象が停止することになる。
【００７０】
この場合、測定開始水位形成制御手段６３の制御として、サイホン現象を誘引するゼット吐水の開始から所定時間経過後に吸気管６０６を開放したり、トラップ内の圧力を下水圧計測センサー５２１で測定し、所定値になったところで吸気管６０６を開放してもよい。  このように制御することによってボール２０内の溜水２３を排出させるサイホン現象が停止するため、溜水２３が全て流出してしまうことなく、排尿貯留範囲を確保することになる。サイホン現象継続時間としては封水状態を確保しつつ、かつ、排泄された尿の貯留範囲の最大値を確保する測定開始水位の設定値を狙って仕様が決定される。ここで、吸気管６０６の大気圧への開口先としては、トイレ空間に対する衛生性が確保されていれば良く、屋外だけでなく、建物の通気配管であっても良いし、下水配管の本管など、十分な空気量が供給可能な場所であれば良い。
【００７１】
図９は、本発明の排尿情報測定装置１の動作を示すフローチャートである。
Ｓ１０１で被験者が個人認証操作を行なうと、Ｓ１０２で個人認証動作が行なわれて個人情報との対応付けが行なわれるとともに、測定準備動作が開始される。
本実施例では測定準備動作として、溜水２３の水位を測定を開始する水位（以下、この水位を「測定開始水位」と呼ぶ）に形成する測定開始水位形成動作が行なわれる。なお、本実施例では溜水２３を所定量だけ下水配管に排出し、測定開始水位を形成する。
【００７２】
そのために、まずＳ１０３で、溜水２３の現在水位を溜水水位計測手段５１で計測してを確認する。この動作は通常、測定を開始する前の待機状態時の溜水の水位はトラップの溢流水位であるが、下水圧変動等によって溜水が溢流している場合は、次にそのままゼット吐水口２２から吐水させるゼット吐水を行うとトラップ１４内でサイホン現象が安定して発生せずに溜水が完全には排出されない不具合が発生する場合が考えられるため、その発生を未然に防止するためである。
【００７３】
従って、ここで溜水２３の水位が所定の水位以下となっている場合は、Ｓ１０４でリム給水手段３１を駆動してリム吐水口２１からボール２０内に給水を行なってサイホン現象が安定して発生する水位として、溜水２３の水位をトラップ１４から下水配管へ溢流を開始する水位である溢流水位とする。次いでＳ１０５で給水ポンプ３２４を大給水率で運転し、給水貯留タンク３２２の貯留水をゼット給水管路３２１によってゼット吐水口２２に搬送して吐水させるゼット給水動作により、トラップ１４内でサイホン現象が誘発される。
【００７４】
次いでＳ１０６で、測定を開始するときの所定の水位である測定開始水位となるよう、サイホン現象継続時間制御手段１４１を駆動し、測定開始水位を形成する。なお、この時の測定開始水位は、トラップ口１４１の上端が露出してボール２３内と下水配管内との空気の流通が可能な状態となる水位である破封水位より高い水位に設定して下水配管からの汚臭の逆流を防止している。なお、測定開始水位時の溜水量とトラップ１４の溢流水位時の溜水量差が、最大尿量測定範囲である。
【００７５】
測定開始水位の創成が完了すると測定準備動作は終了し、Ｓ１０７で測定準備が完了したことを、被験者に表示パネルや音声合成によって報知する。Ｓ１０８で被験者が排尿を開始すると溜水２３の水位は上昇を始め、溜水水位計測手段５１がこの水位変化を微小時間ごとに刻々計測する。Ｓ１０９で、計測された計測値と、予め検量関係記憶手段６２１に記憶されている溜水水位と溜水量の関係式と、下水圧変動量計測手段５２が計測する下水圧変動量から下水圧変動補正手段６１ｂが算出する補正量とを加味して、溜水量算出手段６１ａが微小時間ごとの溜水変化量から単位時間当たりの排尿量（以下、これを「尿流率」と呼ぶ）を算出する。実際に算出されるのは単位時間当たりの溜水変化量であるが、この時に溜水量の変化を及ぼしているのは排尿だけであるから、この量が単位時間当たりの排尿量ということになる。
【００７６】
Ｓ１１０は溜水量算出手段６１ａがこの時々刻々算出される尿流率を記録する工程であり、Ｓ１１１で被験者による排尿終了操作を認識するまで記録動作を継続する。Ｓ１１２で排尿情報算出手段６１は、得られた時々刻々の尿流率測定値から、医療行為に使用される各種排尿情報を演算するステップであり、例えば最大尿流率や最大尿流率到達時間などが演算され、Ｓ１１３において排尿情報として開示される。開示方法としては、被験者に対して測定値としてリモコン７２に表示されるほか、プリンタ７３で紙面に印刷されたり、電子媒体に記憶されたり、電子情報として遠隔伝送されたりするようになっている。
【００７７】
排泄を終了した被験者は、Ｓ１１４で便器洗浄操作スイッチを操作すると、排尿混じりの溜水を下水配管に排出してボール面の洗浄を行う便器洗浄動作を以下のように実施する。即ち、Ｓ１１５でリム給水手段３１がボール２０に給水を行なうリム給水を行なって溜水水位をトラップの溢流水位に上昇させた後、Ｓ１１６でゼット給水手段３２の給水ポンプ３２４によりボール２０への給水動作を行ないサイホン現象を起動させて排泄物を含む溜水を下水配管に排出した後、Ｓ１１７で再びリム給水してボール面の洗浄を行うとともに溜水水位をトラップの溢流水位に復帰させ、Ｓ１１８で一連の測定動作は終了するようになっている。
【００７８】
本実施例では、サイホン現象の誘引にポンプ給水を利用している例を示したが、水道の直圧を利用してサイホン現象を誘引する場合は、水道の給水圧によって誘引されるサイホン現象のタイミングが変化するため、サイホン現象継続時間制御手段１４１の動作タイミングを水道の給水圧毎に設定しても良い。
【００７９】
以上述べたように、測定開始水位形成に本方式を採用した場合、短時間で測定開始水位が創成されるため、測定開始時に測定開始水位形成動作を行っても被験者は待ち時間が長いという使い勝手面の不便さを感じることがない。このように、使用の利便性を確保したままで溢流水位での待機が可能となるため、待機時の封水深の規制を容易に達成できる。従って、溜水量が小さかったり、封水深が浅い、といった便器洗浄使用水量の低減を考えたボール２０の小さな便器を使用する場合においても、測定開始水位は衛生性が確保される破封水位以上であれば良くなるため、十分な測定範囲を確保することができる。
【００８０】
図１０は本発明の第二の実施例であり、サイホン現象継続時間制御手段１４１の別構成を示すものである。第一の実施例は前述したように、トイレ内の臭気などの衛生性を確保するには吸気管６０６の外気への開口が必要であるため、屋外や建物の通気配管への接続といった施工条件的な課題があるのに対して、以下に述べる第二の実施例は外気への開口が不要であるため施工条件を選ばないという利点がある。なお、以下の説明においては第一の実施例と同じ構成の部分は省略している。
【００８１】
第一の実施例が自然吸気であったのに対して、第二の実施例は強制送気を行っている。コンプレッサー６０２によって送り出された空気は、加圧タンク６０３で蓄圧される。加圧タンク６０３は、途中に開閉弁６０４を有した送気管６０７によってトラップ１４に、また途中に開閉弁６０５を有した送気管６０７によってゼット給水管路３２１に、夫々連通されている。サイホン現象が誘引された後、前述のように所定タイミングで開閉弁６０４または開閉弁６０５を開放して各部へ加圧タンク６０３の圧力で送気して、サイホン現象が中断できるようになっている。ここでは、トラップ１４とゼット給水管路３２１の両方に管路を連通した例を示したが、特性によっては一方だけであっても良い。
【００８２】
図１１は本発明の第三の実施例であり、サイホン現象継続時間制御手段１４１の別構成を示すものである。なお、以下の説明においては第一の実施例と同じ構成の部分は省略している。
トラップ１４の溜水２３の下流側には、トラップ１４の流路面積を変える絞り手段１４５が設けられている。本実施例における絞り手段１４５はトラップ１４の中に突出する遮蔽板１４６をモーター１４７で進退可能にする構成となっている。この遮蔽板は、通常の便器洗浄時等の通常のサイホン現象を発生させる時は収納された状態であり、トラップ１４の断面積は最大の状態で溜水排出が行われる。そして、測定開始水位形成時の溜水排出動作に際しては、待機時の溜水水位で遮蔽板１４６をトラップ１４の中に伸出した状態でゼット吐水口２２からの吐水が開始される。するとトラップ１４は通常の便器洗浄動作時よりも早く満水となり、サイホン現象が発生して溜水２３は排出され始める。その後、予め定められたタイミングで遮蔽板１４６を収納状態に移動させると、トラップ１４を満水にして誘引されたサイホン現象は、遮蔽板１４６の後退によるトラップ断面積の拡大によって満水状態が維持できなくなり、結果としてサイホン現象が中断する。
その結果、ボール２０内には排出されなかった溜水が残り、測定開始水位が創成される。
【００８３】
一般的に様々な形状の便器が有するサイホン特性は、その強さ（継続のしやすさ）にばらつきを持っている。実施例１から３で示したサイホン現象継続時間制御手段１４１の実施構成は、測定開始水位創成性能を配慮して、単独で採用したり、複数を組み合わせて採用される。
【図面の簡単な説明】
【００８４】
【図１】本発明を実施した第１の実施例における排尿情報測定装置全体を示す斜視図である。
【図２】本実施例の構成を示すブロック図である。
【図３】図２で示した排尿情報測定部５のリモコン７２の１例を示した平面図である。
【図４】排尿情報測定装置１を医療機関でシステム的に使用する構成を示した第一の実施例を示す模式図である。
【図５】排尿情報測定装置１を医療機関でシステム的に使用する構成を示した第二の実施例を示す模式図である。
【図６】ゼット吐水を行ったときの下水圧変動量測定手段５２で測定された下水圧の経時変動グラフである。
【図７】ゼット吐水時間毎の溜水量変化の関係を示すグラフである。
【図８】本発明の排尿情報測定装置の便器部３と排尿情報測定部５の構成を示した第一の実施例である。
【図９】本発明の排尿情報測定装置の第１の実施例の動作を示すフローチャートである。
【図１０】本発明の排尿情報測定装置の第二の実施例である。
【図１１】本発明の排尿情報測定装置の第三の実施例である。
【符号の説明】
【００８５】
１…排尿情報測定装置
３…便器部
４…洋風大便器
５…排尿情報測定部
６…尿量測定部
７…衛生洗浄装置
７a…衛生洗浄手段
１２…装置給水手段
１２１…止水栓
１２２…定流量弁
１２３…開閉弁
１３１…分岐金具
１３２…分岐金具
１４…トラップ
１４１…サイホン現象継続時間制御手段
１４５…絞り手段
１４６…絞り板
１４７…モータ
１５…排水ソケット
１６…下水配管口
１７１…便座
１７２…背もたれ
１８…キャビネット
１８１…前板
１８２…側板
１８３…甲板
２０…ボール
２１…リム吐水口
２２…ゼット吐水口
２３…溜水
３０…便器給水手段
３１…リム給水手段
３１１…リム給水管路
３１２…開閉弁
３１３…バキュームブレーカー
３１４…フラッパー弁
３２…ゼット給水手段
３２ａ…給水貯留手段
３２ｂ…給水搬送手段
３２１…ゼット給水管路
３２２…給水貯留タンク
３２３…フラップ弁
３２４…給水ポンプ
４０…便器制御部
４１…便器給水制御手段
５０…尿量計測部
５１…溜水水位計測手段
５１ａ…水頭圧計測手段
５１ｂ…計測出力校正手段
５１１…水位測定管
５１２…水頭圧計測センサー
５１３…開閉弁
５１４…開放端（水位測定管）
５１５…水封端（水位測定管）
５２…下水圧変動量計測手段
５２１…下水圧計測センサー
５２２…下水配管連絡管路
５３…検量関係計測手段
５３１…検量ポンプ
５３２…開閉弁
５４１…止水栓（給水源側）
５４２…止水栓（便器側）
５４３…ワンタッチ接続金具（給水源側）
５４４…ワンタッチ接続金具（便器側）
５４５…ワンタッチ接続金具（下水配管側）
５５…下水配管縁切り手段
５５１…トラップタンク
５７…計測管路
５７ａ…計測管路開閉手段
５７１…開閉弁
５８１…尿量計測部給水管路
５８２…開閉弁
６０…尿量計測制御部
６０１…開閉弁
６０２…コンプレッサー
６０３…加圧タンク
６０４…開閉弁
６０５…開閉弁
６０６…吸気管
６０７…送気管
６１…尿量情報算出手段
６１ａ…溜水量算出手段
６１ｂ…下水圧変動補正手段
６２…測定情報記憶手段
６２１…検量関係記憶手段
６３…測定開始水位形成制御手段
７０…操作・表示部
７１…リモコン（便器部用）
７２…リモコン（排尿情報測定部用）
７２１…ＩＤ操作部
７２２…表示部
７２３…スピーカー
７２４…スイッチ（測定終了）
７２５…スイッチ（取消）
７２６…調節部
７３…プリンター
８０…連係動作制御手段
８１…中継基板
８２ａ…状態表示手段（便器部用）
８２ｂ…状態受信手段（便器部用）
８３ａ…状態表示手段（尿量測定部用）
８３ｂ…状態受信手段（尿量測定部用）
【図１】
2008248557.tif 000003
【図２】
2008248557.tif 000004
【図３】
2008248557.tif 000005
【図６】
2008248557.tif 000006
【図７】
2008248557.tif 000007
【図８】
2008248557.tif 000008
【図９】
2008248557.tif 000009
【図１０】
2008248557.tif 000010
【図１１】
2008248557.tif 000011
【図４】
2008248557.tif 000012
【図５】
2008248557.tif 000013